(57)【要約】【課題】従来よりも流量検出精度を高めることが可能な流量検出装置を提供する。【解決手段】流体の旋回流に伴って環状流路１０ｂを周回するように環状流路１０ｂ内に配された磁性ボール３と、環状流路１０ｂの外周囲または内周囲のいずれかの位置に配され、かつ磁性ボール３が接近する都度、その旨を検知するための磁気センサＳと、を備えている、流量検出装置Ａであって、磁性ボール３は、旋回中心軸部２０の軸長方向視において、その最大長さＬｍが、環状流路１０ｂの幅Ｗｂよりも長い非円形状とされていることにより、環状流路１０ｂ内での前記軸長方向視における自転が規制された構成とされている。【選択図】  図２
2017194409.tif 000002
【特許請求の範囲】
【請求項１】
旋回中心軸部を囲む外周壁部を有し、かつこれら旋回中心軸部および外周壁部の相互間領域を流体の旋回流が流れる環状流路としている流路形成部材と、
前記流体の旋回流に伴って前記環状流路を周回するように前記環状流路内に配され、かつ磁石を用いて構成された磁性ボールと、
前記環状流路の外周囲または内周囲のいずれかの位置に配され、かつ前記磁性ボールが接近する都度、その旨を検知するための磁気センサと、
を備えている、流量検出装置であって、
前記磁性ボールは、前記旋回中心軸部の軸長方向視において、その最大長さが前記環状流路の幅よりも長い非円形状とされていることにより、前記環状流路内での前記軸長方向視における自転が規制された構成とされていることを特徴とする、流量検出装置。
【請求項２】
請求項１に記載の流量検出装置であって、
前記磁性ボールは、前記磁石のＮＳ２つの磁極が、前記旋回中心軸部側および前記外周壁部側に振り分けられて配置された構成とされている、流量検出装置。
【請求項３】
請求項１または２に記載の流量検出装置であって、
前記磁性ボールは、前記旋回中心軸部の軸長方向視において、前記環状流路の周方向における長さが前記環状流路の半径方向における幅よりも長い左右対称形状である、流量検出装置。
【請求項４】
請求項１ないし３のいずれかに記載の流量検出装置であって、
前記磁性ボールは、前記旋回中心軸部および前記外周壁部に対向する両側面部を有しており、かつこの両側面部のそれぞれは、凸状曲面とされている、流量検出装置。
【請求項５】
請求項１ないし４のいずれかに記載の流量検出装置であって、
前記旋回中心軸部には、環状凹部が形成されており、
前記磁性ボールは、前記環状凹部に嵌入され、かつ前記磁性ボールの周回方向正面視において所定以上傾くことが前記環状凹部の内壁面によって阻止可能な構成とされている、流量検出装置。
【請求項６】
請求項５に記載の流量検出装置であって、
前記磁性ボールは、円柱面状の外周面を有し、かつ前記環状流路を周回するときには、前記外周面が前記環状凹部の内壁面に接触した状態で前記内壁面に沿って転動可能な構成とされている、流量検出装置。
【請求項７】
請求項１ないし６のいずれかに記載の流量検出装置であって、
前記磁性ボールは、偏平な円柱形状部の両側面が凸状曲面とされたタブレット形状とされている、流量検出装置。
【請求項８】
請求項１ないし７のいずれかに記載の流量検出装置が、湯水流通経路に設けられていることを特徴とする、温水装置。
【発明の詳細な説明】
【技術分野】
【０００１】
本発明は、いわゆるボール回転方式（ボール旋回方式）の流量検出装置、およびこれを備えた温水装置に関する。
【背景技術】
【０００２】
流量検出装置の具体例として、特許文献１，２に記載のものがあり、その基本的な構成の概要を、図７（ａ）に示す。
同図に示す流量検出装置Ａｅは、旋回中心軸部２０と円筒状の外周壁部１３とを備えており、これらの相互間領域は、流量検出対象の流体が旋回流として流れる環状流路１０ｂとなっている。環状流路１０ｂ内には、磁石３０が内蔵された球状の磁性ボール３Ｅが配され、流体の旋回流に伴って磁性ボール３Ｅは環状流路１０ｂを周回する。その一方、外周壁部１３の外側には、磁性ボール３Ｅが接近する都度、その旨を検知するための磁気センサＳが設けられている。
このような構成によれば、磁気センサＳによって磁性ボール３Ｅが検出される都度出力される検出信号の頻度などに基づき、流体の流量検出が可能である。
【０００３】
しかしながら、前記従来技術においては、次に述べるように、未だ改善すべき余地がある。
【０００４】
すなわち、磁性ボール３Ｅが環状流路１０ｂを周回する際には、磁性ボール３Ｅが、図７（ｂ）の矢印Ｎａで示す方向に回転（自転）する。このような自転を生じたのでは、磁性ボール３Ｅが磁気センサＳに接近した際に、磁気センサＳに対して磁石３０のＮ極が向かう場合、Ｓ極が向かう場合、およびＮ極とＳ極との双方が向かう場合とが発生する。磁気センサＳによって磁性ボール３Ｅが接近したことを正確に検出する上では、磁気センサＳに作用する磁極は一定であることが好ましく、前記したように磁気センサＳに作用する磁極が変化したのでは、磁性ボール３Ｅを正確に検出できない虞がある。このようなことから、従来においては、流体の流量検出精度を高める上で、未だ改善の余地がある。
【先行技術文献】
【特許文献】
【０００５】
【特許文献１】実開平１−１３１１１８号公報
【特許文献２】特公平４−７２１７２号公報
【発明の概要】
【発明が解決しようとする課題】
【０００６】
本発明は、前記したような事情のもとで考え出されたものであり、従来よりも流量検出精度を高めることが可能な流量検出装置、およびこれを備えた温水装置を提供することを、その課題としている。
【課題を解決するための手段】
【０００７】
上記の課題を解決するため、本発明では、次の技術的手段を講じている。
【０００８】
本発明の第１の側面により提供される流量検出装置は、旋回中心軸部を囲む外周壁部を有し、かつこれら旋回中心軸部および外周壁部の相互間領域を流体の旋回流が流れる環状流路としている流路形成部材と、前記流体の旋回流に伴って前記環状流路を周回するように前記環状流路内に配され、かつ磁石を用いて構成された磁性ボールと、前記環状流路の外周囲または内周囲のいずれかの位置に配され、かつ前記磁性ボールが接近する都度、そ
の旨を検知するための磁気センサと、を備えている、流量検出装置であって、前記磁性ボールは、前記旋回中心軸部の軸長方向視において、その最大長さが、前記環状流路の幅よりも長い非円形状とされていることにより、前記環状流路内での前記軸長方向視における自転が規制された構成とされていることを特徴としている。
ここで、「最大長さ」とは、旋回中心軸部の軸長方向視における磁性ボールの輪郭線上の２点間に引かれ得る最長の直線の長さであり、磁性ボールの前記軸長方向視の形状が、たとえば矩形状である場合には、その対角線の長さであり、楕円状である場合には、その長径である。
【０００９】
このような構成によれば、次のような効果が得られる。
第１に、流体の旋回流に伴って磁性ボールが環状流路を周回する際に、旋回中心軸部の軸長方向視における磁性ボールの自転が規制されるため、磁性ボールのそのような自転に起因して磁気センサに作用する磁極が変化することは解消される。したがって、前記従来技術と比較して、磁気センサによる磁性ボールの検出をより正確に行なうことが可能となり、流体の流量検出精度を高めることができる。
第２に、磁性ボールの自転を防止する手段として、磁性ボールを所定の形状とする手段が採用されており、全体構造が複雑化するといった不具合を生じないようにすることができる。特殊な機器や部材などを別途用いる必要もない。このため、装置の製造コストを廉価にすることも可能である。
【００１０】
本発明において、好ましくは、前記磁性ボールは、前記磁石のＮＳ２つの磁極が、前記旋回中心軸部側および前記外周壁部側に振り分けられて配置された構成とされている。
【００１１】
このような構成によれば、磁性ボールが磁気センサに接近した際に、磁石のＮ極またはＳ極のいずれかの磁極の磁力を磁気センサに強く作用させ得ることとなり、磁気センサによる磁性ボールの検出精度を高める上でより好ましい。
【００１２】
本発明において、好ましくは、前記磁性ボールは、前記旋回中心軸部の軸長方向視において、前記環状流路の周方向における長さが前記環状流路の半径方向における幅よりも長い左右対称形状である。
【００１３】
このような構成によれば、磁性ボールが流体の旋回流に対して傾きのない、または少ない向きとなるように、磁性ボールの向きが自動的に調整される作用が得られる。このため、磁性ボールが流体の旋回流に対して大きく傾き、旋回中心軸部や外周壁部に接触したまま旋回する虞をなくすことができる。これは、磁性ボールの旋回速度または旋回回数を流体の流量に正確に対応させる上で好ましい。
【００１４】
本発明において、好ましくは、前記磁性ボールは、前記旋回中心軸部および前記外周壁部に対向する両側面部を有しており、かつこの両側面部のそれぞれは、凸状曲面とされている。
【００１５】
このような構成によれば、磁性ボールが周回方向に対して斜めに傾くことにより、この磁性ボールの側面が旋回中心軸部または外周壁部に接触した際に、その接触箇所を点接触状態とすることができる。このことにより、旋回中心軸部または外周壁部に接触した際の摺動抵抗を小さくすることができる。前記した摺動抵抗が大きい場合には、磁性ボールの周回量が流体の流速（流量）に対して余り正確に対応したものにならない虞があるが、前記構成によれば、そのような虞をなくし、または少なくすることが可能である。
【００１６】
本発明において、好ましくは、前記旋回中心軸部には、環状凹部が形成されており、前記磁性ボールは、前記環状凹部に嵌入され、かつ前記磁性ボールの周回方向正面視におい
て所定以上傾くことが前記環状凹部の内壁面によって阻止可能な構成とされている。
【００１７】
このような構成によれば、磁性ボールがその周回方向正面視において所定以上傾くことに起因して、磁気センサに作用する磁極が変化することや、磁気センサに作用する磁力が弱くなるといったことを適切に回避することができる。したがって、磁気センサによる磁性ボールの検出精度を、より高めることが可能となる。
【００１８】
本発明において、好ましくは、前記磁性ボールは、円柱面状の外周面を有し、かつ前記環状流路を周回するときには、前記外周面が前記環状凹部の内壁面に接触した状態で前記内壁面に沿って転動可能な構成とされている。
【００１９】
このような構成によれば、磁性ボールが環状流路を周回する際に、磁性ボールと環状凹部の内壁面との間で大きな摺動抵抗を生じないようにすることができる。したがって、磁性ボールの周回動作がより円滑に行なわれるようにし、流体の流量の検出精度を高める上で、一層好ましい。
【００２０】
本発明において、好ましくは、前記磁性ボールは、偏平な円柱形状部の両側面が凸状曲面とされたタブレット形状とされている。
【００２１】
このような構成によれば、磁性ボールを、比較的単純な形状として、製造コストを廉価にしながらも、本発明が意図する好ましい効果を適切に得ることができる。
【００２２】
本発明の第２の側面により提供される温水装置は、本発明の第１の側面により提供される流量検出装置が、湯水流通経路に設けられていることを特徴としている。
【００２３】
このような構成によれば、本発明の第１の側面により提供される流量検出装置について述べたのと同様な効果を得ることができる。
【００２４】
本発明のその他の特徴および利点は、添付図面を参照して以下に行なう発明の実施の形態の説明から、より明らかになるであろう。
【図面の簡単な説明】
【００２５】
【図１】（ａ）は、本発明に係る流量検出装置の一例を示す断面図であり、（ｂ）は、（ａ）のIb−Ib断面図である。
【図２】（ａ）は、図１（ａ）のIIa−IIa断面図であり、（ｂ）は、（ａ）のIIb−IIb断面図であり、（ｃ）は、（ｂ）に示す構造の動作を示す要部断面側面図である。
【図３】（ａ）は、図１に示す流量検出装置で用いられている磁性ボールを示す斜視図であり、（ｂ）は、（ａ）の側面図であり、（ｃ）は、（ａ）の平面図であり、（ｄ）は、（ａ）のIIId−IIId断面図である。
【図４】図１に示す流量検出装置を備えた温水装置の一例を示す概略説明図である。
【図５】本発明の他の例を示す要部平面断面図である。
【図６】本発明の他の例を示す要部平面断面図である。
【図７】（ａ）は、従来技術の一例を示す要部平面断面図であり、（ｂ）は、（ａ）の作用を示す要部平面断面図である。
【発明を実施するための形態】
【００２６】
以下、本発明の好ましい実施の形態について、図面を参照して具体的に説明する。
なお、以降の説明においては、理解を容易にするため、図７の従来技術と同一または類似の要素のうち、一部の要素については、前記従来技術と同一の符号を用いることとする。
【００２７】
図１（ａ）に示す流量検出装置Ａは、流体の流入口１１および流出口１２を有するハウジング１、旋回中心軸部２０を有する補助部材２、ハウジング１内に形成された後述する環状流路１０ｂに配された磁性ボール３、ならびに磁気センサＳを備えている。ハウジング１および補助部材２は、樹脂製（非磁性体）である。
【００２８】
ハウジング１は、本発明でいう流路形成部材の一例に相当し、流入口１１から流出口１２に到る一連の流路１０（１０ａ〜１０ｃ）を内部に形成している。補助部材２は、ハウジング１の流路１０内の一部に進入するようにしてハウジング１に取り付けられている。この補助部材２の先端寄り部分（下端寄り部分）が旋回中心軸部２０であり、この旋回中心軸部２０とハウジング１の略円筒状の外周壁部１３との相互間領域は、流体の旋回流が流れる環状流路１０ｂとなっている。
【００２９】
より具体的には、図１（ｂ）に示すように、ハウジング１の流入口１１側の流路１０ａは、環状流路１０ｂに対して略接線方向に流体を流れ込ませるように設けられている。このことにより、環状流路１０ｂには流体の旋回流が発生する。この旋回流は、旋回状態を維持したまま環状流路１０ｂを徐々に下降していき、その後は旋回中心軸部２０の先端部に形成されたフランジ部２０ａとハウジング１の外周壁部１３との隙間を通過して流出口１２側の流路１０ｃに流れ、流出口１２からその下流側に流れていく。
【００３０】
旋回中心軸部２０のうち、フランジ部２０ａの上側領域は、環状凹部２０ｂとして形成されており、磁性ボール３は、この環状凹部２０ｂ内に全体またはその一部が嵌入されるようにして環状流路１０ｂ内に位置している（図２も参照）。磁性ボール３は、環状凹部２０ｂの内壁面２２によって上下高さ方向（旋回中心軸部２０の軸長方向）の位置規制を受けつつ、前記した流体の旋回流に伴って環状流路１０ｂを周回可能である。
【００３１】
磁性ボール３は、ブロック状などの適当な形態の磁石３０が、樹脂により覆われた構造であり、その全体形状は、非球状である。より具体的には、図３によく表われているように、磁性ボール３は、偏平な円柱形状部３１を有し、かつその左右両側面３２が凸状曲面とされたタブレット状である。外周面３１ａは、円柱面状である。円柱形状部３１と両側面３２との境界部分には、適当な曲率半径Ｒａの丸み付けがなされており、磁性ボール３の表面部の各所は滑らかな曲面となっている。また、磁性ボール３は、長さＬａが横幅Ｗａよりも長い寸法であり、かつ横幅方向の中心線Ｃ１を中心とする左右対称形状である。
【００３２】
磁性ボール３は、環状流路１０ｂの一部をなす環状凹部２０ｂ内に、図２に示すような状態に配されている。すなわち、磁性ボール３は、環状流路１０ｂの周方向に縦長とされ、かつその両側面３２は、旋回中心軸部２０の外周面および外周壁部１３の内周面に対向するようになっている。また、環状流路１０ｂの幅Ｗｂ（厳密には、環状凹部２０ｂの幅Ｗｂ）に対し、磁性ボール３の横幅Ｗａは若干小さいものの、磁性ボール３の平面視（旋回中心軸部２０の軸長方向視）における最大長さＬｍは、幅Ｗｂよりも大きい関係にある。このことにより、磁性ボール３の平面視における回転（自転）が規制される。「最大長さ」の定義については、既述したとおりである。
磁石３０のＮＳ２つの磁極は、環状流路１０ｂの半径方向に並んだ位置関係にあり、外周壁部１３側と旋回中心軸部２０側とに振り分けられた配置とされている。
【００３３】
図２（ｂ）において、磁性ボール３は、その上下高さ方向の長さＬａが、環状凹部２０ｂの上下幅Ｌｂよりも若干小さいものの、その最大長さＬｍは、上下幅Ｌｂよりも大きい関係にある。このようなことにより、磁性ボール３がその周回方向正面視において、矢印Ｎ１に示す方向に傾くと、磁性ボール３の上部が環状凹部２０ｂの内壁面２２の上面部２２ａに当接し、それ以上に大きな角度で傾くことは阻止されるようになっている。なお、
磁性ボール３が環状流路１０ｂ内を周回する際には、図２（ｃ）に示すように、磁性ボール３の外周面（円柱面）３１ａが、環状凹部２０ｂの内壁面２２の下面部２２ｂに接触した状態で、磁性ボール３がこの下面部２２ｂ上を転動するようになっている。この転動は、中心軸Ｃ２を中心とする回転である。
【００３４】
図１（ａ）において、磁気センサＳは、ハウジング１の外周壁部１３の外面部に、ブラケット片９０やビス９１などを用いて取り付けられている。この磁気センサＳは、環状流路１０ｂを周回する磁性ボール３が磁気センサＳに接近する都度、その旨を検知し、所定の検知信号を出力可能である。この検知信号に基づき磁性ボール３の周回回数のカウント動作などが可能であり、不図示のデータ処理手段において、流体の流量が演算される。磁気センサＳとしては、たとえばコイル方式やホール素子方式などの従来既知のものを用いることが可能である。
【００３５】
前記した流量検出装置Ａは、たとえば図４に示すような給湯装置ＷＨに組み込まれて使用される。
この給湯装置ＷＨは、入水口６０ａに供給された湯水が、入水路６０を介して熱交換器６に送り込まれ、かつガスバーナなどのバーナ７によって加熱されるように構成されている。加熱後の湯水は、出湯路６１を介して出湯口６１ａに到達する。一方、入水路６０と出湯路６１とは、バイパス流路６２を介して接続されており、出湯路６１を流れる加熱湯水に、パイパス流路６２を通過した非加熱の湯水が混合され、この混合比が流量調整弁Ｖ１，Ｖ２などを利用して調整されることにより、出湯口６１ａに到達する湯水温度が調整可能となっている。流量検出装置Ａは、入水路６０に設けられており、熱交換器６に送り込まれる湯水の流量検出に利用される。
【００３６】
次に、前記した流量検出装置Ａの作用について説明する。
【００３７】
まず、流入口１１に流体の一例として湯水が供給されると、この湯水は旋回流となって環状流路１０ｂを流れ、これに伴って磁性ボール３は環状流路１０ｂの一部である環状凹部２０ｂ内を周回することとなる。ここで、図２（ａ）に示したように、磁性ボール３の最大長さＬｍは、環状流路１０ｂの幅Ｗｂよりも大きいため、平面視における磁性ボール３の自転（矢印Ｎ２方向の回転）は規制される。すなわち、平面視において、磁性ボール３が矢印Ｎ２方向に回転しようとすると、磁性ボール３の両側面３２が旋回中心軸部２０および外周壁部１３に当接し、それ以上に大きな角度で自転することは阻止される。したがって、磁性ボール３の矢印Ｎ２方向の自転に起因して、磁気センサＳに作用する磁極が変化する不具合は適切に解消される。磁石３０のＮ極およびＳ極の両磁極は、既述したように、磁性ボール３のうちの外周壁部１３側と旋回中心軸部２０側とに振り分けられた配置であるため、Ｎ極またはＳ極の一方から磁気センサＳに対して強い磁力を作用させることも可能である。
【００３８】
磁性ボール３は、流体の旋回流の方向において縦長状の左右対称形状であるため、磁性ボール３の先端部（周回方向下流側部分）が、たとえば平面視右側に傾くように回転した際には、旋回流に対する磁性ボール３の右側部分の抵抗が大きくなる結果、磁性ボール３は元の傾きのない姿勢に復元する。これとは反対に、磁性ボール３の先端部が平面視左側に傾くように回転した際には、旋回流に対する磁性ボール３の左側部分の抵抗が大きくなる結果、やはり磁性ボール３は元の傾きのない姿勢に復元する。したがって、磁性ボール３は、流体の旋回流に対して斜めに傾いたまま環状流路１０ｂを周回しないようにすることができる。
【００３９】
このような作用に基づき、磁石３０を磁気センサＳに対して傾きのない、または少ない姿勢で対向接近させ、その磁力を磁気センサＳに対してより効率よく作用させることが可
能である。磁性ボール３が外周壁部１３および旋回中心軸部２０に接触した状態まま環状流路１０ｂを周回した場合には、それらの接触部分における摩擦抵抗に起因して磁性ボール３の周回動作の円滑性が損なわれるが、本実施形態によれば、そのようなことも適切に解消し、流体の流量に対して磁性ボール３の周回回数を適切に対応させることが可能である。
【００４０】
さらに、本実施形態によれば、磁性ボール３の両側面３２は、凸状曲面であるため、図２（ａ）の符号Ｐａ，Ｐｂで示す箇所のように、両側面３２が外周壁部１３や旋回中心軸部２０に接触したとしても、これらの接触部分Ｐａ，Ｐｂは、点接触部分となる。このため、大きな摩擦抵抗を生じないようにし、磁性ボール３の周回動作を、より円滑に行なえるものとすることが可能である。図５に示す後述の実施形態では、磁性ボール３が外周壁部１３に接触する際に、２箇所の接触部分Ｐｃ，Ｐｄが発生するが、本実施形態では、そのようなことを回避することが可能である。
【００４１】
図２（ｂ）を参照して説明したように、磁性ボール３が周回方向正面視において矢印Ｎ１方向に所定以上の角度で傾くことは、環状凹部２０ｂの内壁面２２（とくに、その上面部２２ａおよび下面部２２ｂ）によって防止され、同方向への回転が規制されている。このため、磁気センサＳに対して磁石３０のＮ極またはＳ極の磁力を強く作用させることがより安定的に図られる。また、図２（ｃ）を参照して説明したように、磁性ボール３の周回動作は、円筒面としての外周面３１ａが内壁面２２の下面部２２ｂに接触し、磁性ボール３が転動することにより行なわれるため、磁性ボール３の周回動作をより円滑なものとすることができる。
【００４２】
このようなことから、本実施形態の流量検出装置Ａによれば、流体の流量検出精度を高めることが可能である。流量検出装置Ａは、従来の流量検出装置と比較して、特殊な部品や、高価な部品を追加して設ける必要はなく、磁性ボール３の形態に変更を加えるだけでよいため、その製造コストを廉価ものとすることができる利点も得られる。
【００４３】
図５および図６は、本発明の他の実施形態を示している。
【００４４】
図５に示す流量検出装置Ａａにおいては、磁性ボール３の全体が偏平な円柱状とされており、その両側面３２は、平面状とされている。このような構成によれば、既述したように、外周壁部１３に対して磁性ボール３の２箇所Ｐｃ，Ｐｄが接触する可能性があるが、それ以外については、前記実施形態と同様な作用を得ることが可能である。
【００４５】
図６に示す流量検出装置Ａｂにおいては、旋回中心軸部２０が円筒状に形成され、かつその内部に磁気センサＳが設けられている。このような構成においても、磁気センサＳを外周壁部１３の外側に設けた場合と同様に、磁性ボール３の周回回数のカウント動作を適切に行なうことが可能である。
【００４６】
本発明は、上述した実施形態の内容に限定されない。本発明に係る流量検出装置、および温水装置の各部の具体的な構成は、本発明の意図する範囲内において種々に設計変更自在である。
【００４７】
磁性ボールの形状は、既述したようなタブレット形状や、偏平な円柱状に限定されず、たとえば旋回中心軸部の軸長方向視が細長矩形状の略直方体状、あるいは前記軸長方向視が長円または楕円の円板状などとすることもできる。要は、旋回中心軸部の軸長方向視において、その最大長さが、環状流路の幅よりも長い非円形状であればよい。磁性ボールは、磁石を樹脂で覆った構造でなくてもよく、たとえば磁性ボールの全体が磁石であってもよい。
磁気センサの具体的な種類も限定されない。本発明に係る流量検出装置は、温水装置用に限定されず、温水装置以外の様々な装置・機器類、および配管部などにおける流体の流量検出用途に用いることが可能である。したがって、流体の種類も限定されない。
【符号の説明】
【００４８】
Ａ，Ａａ，Ａｂ  流量検出装置
Ｓ  磁気センサ
Ｌｍ  最大長さ（旋回中心軸部の軸長方向視における磁性ボールの）
Ｗｂ  環状流路の幅
１  ハウジング（流路形成部材）
１０ｂ  環状流路
１３  外周壁部
２  補助部材
２０  旋回中心軸部
２０ｂ  環状凹部
２２  内壁面（環状凹部の）
３  磁性ボール
３０  磁石
３１  円柱形状部（磁性ボールの）
３１ａ  外周面（磁性ボールの）
３２  側面（磁性ボールの）
【図１】
2017194409.tif 000003
【図２】
2017194409.tif 000004
【図３】
2017194409.tif 000005
【図４】
2017194409.tif 000006
【図５】
2017194409.tif 000007
【図６】
2017194409.tif 000008
【図７】
2017194409.tif 000009